(57)【要約】【課題】ケーブルを介して接続される表示部を有していても、従来技術と比較して省スペース化を図ることができるプリンタを提供する。【解決手段】開口部２５を有する記録紙収納部１０が形成され、設置面１１０に対向する底面２１を含む複数の外面を有する筐体２と、筐体２に連結され、開口部２５を開閉可能なプリンタカバー３と、複数の外面のうち、底面２１以外の取付面２３Ａに着脱可能に取り付けられ、所定の情報を表示する表示部７と、表示部７に一端が接続され、他端にコネクタ１０５が取り付けられている第二ケーブル１０４と、コネクタ１０５が接続されているコネクタ接続部８１と、を備える。筐体２は、箱状に形成され、開口部２５は、側方に設けられ、取付面２３Ａは、複数の外面のうち開口部２５とは反対側の側面に設けられている。【選択図】図５
2019098714.tif 000002
【特許請求の範囲】
【請求項１】
開口部を有する記録紙収納部が形成され、設置面に対向する底面を含む複数の外面を有する筐体と、
前記筐体に連結され、前記開口部を開閉可能なプリンタカバーと、
前記複数の外面のうち、前記底面以外の取付面に着脱可能に取り付けられ、所定の情報を表示する表示部と、
前記表示部に一端が接続され、他端にコネクタが取り付けられているケーブルと、
前記コネクタが接続されているコネクタ接続部と、
を備えることを特徴とするプリンタ。
【請求項２】
請求項１に記載のプリンタであって、
前記筐体は、箱状に形成され、
前記開口部は、側方に設けられ、
前記取付面は、前記複数の外面のうち前記開口部とは反対側の側面であることを特徴とするプリンタ。
【請求項３】
請求項１または請求項２に記載のプリンタであって、
前記表示部は前記所定の情報を表示する表示領域を有し、
前記表示領域の大きさは、前記取付面に対応した領域に設定されていることを特徴とするプリンタ。
【請求項４】
請求項１から３のいずれか１項に記載のプリンタであって、
前記取付面の両縁部には、弾性変形可能な少なくとも一対の挟持部が設けられ、
前記表示部は、前記一対の挟持部により挟持されて前記取付面に取り付けられていることを特徴とするプリンタ。
【請求項５】
請求項１から３のいずれか１項に記載のプリンタであって、
前記表示部は、締結部材により前記取付面に取り付けられていることを特徴とするプリンタ。
【請求項６】
請求項１から３のいずれか１項に記載のプリンタであって、
前記取付面の両側には、一対の溝が前記両側に沿って対向して設けられ、
前記表示部は、前記表示部の両側が前記一対の溝に挿入されることにより前記取付面に取り付けられていることを特徴とするプリンタ。
【請求項７】
請求項１から６のいずれか１項に記載のプリンタであって、
前記コネクタ接続部は、前記取付面の下部に設けられていることを特徴とするプリンタ。
【請求項８】
請求項７に記載のプリンタであって、
前記取付面の下部には、前記取付面よりも内側に凹む凹部が形成されており、
前記コネクタ接続部は、前記凹部内に設けられていることを特徴とするプリンタ。
【発明の詳細な説明】
【技術分野】
【０００１】
本発明は、プリンタに関するものである。
【背景技術】
【０００２】
従来、ＰＯＳ（Ｐｏｉｎｔ  ｏｆ  ｓａｌｅ  ｓｙｓｔｅｍ）に用いられ、所定の情報を表示する表示部と、ケーブルを介して接続されるプリンタ本体部と、を備えたプリンタが知られている（例えば特許文献１参照）。
特許文献１には、表示部とプリンタ本体部とを支持するプリンタスタンドが開示されている。
【先行技術文献】
【特許文献】
【０００３】
【特許文献１】特開２０１１−２３０３３０号公報
【発明の概要】
【発明が解決しようとする課題】
【０００４】
しかしながら、特許文献１に記載の技術にあっては、プリンタ本体部および表示部を支持するためのプリンタスタンドの設置スペースが必要になる。したがって、従来技術にあっては、ケーブルを介して接続される表示部を有するプリンタを設置する際の省スペース化という点で改善の余地があった。
【０００５】
そこで、本発明は、上記事情に鑑みたものであって、ケーブルを介して接続される表示部を有していても、従来技術と比較して省スペース化を図ることができるプリンタの提供を課題としている。
【課題を解決するための手段】
【０００６】
上記の課題を解決するため、本発明のプリンタは、開口部を有する記録紙収納部が形成され、設置面に対向する底面を含む複数の外面を有する筐体と、前記筐体に連結され、前記開口部を開閉可能なプリンタカバーと、前記複数の外面のうち、前記底面以外の取付面に着脱可能に取り付けられ、所定の情報を表示する表示部と、前記表示部に一端が接続され、他端にコネクタが取り付けられているケーブルと、前記コネクタが接続されているコネクタ接続部と、を備えることを特徴としている。
【０００７】
この構成によれば、表示部は、筐体における複数の外面のうち、底面以外の取付面に着脱可能に取り付けられているので、従来技術のようなプリンタスタンドを使用することなく、表示部を支持できる。これにより、プリンタスタンドの設置スペースが不要となるので、ケーブルを介して接続される表示部を有していても、従来技術と比較して省スペース化を図ることができる。
また、プリンタスタンドが不要となるので、ケーブルを介して接続される表示部を有するプリンタを低コストに設置することができる。
また、表示部は、筐体の取付面に着脱可能となっているので、表示部を必要とする使用者のみならず、表示部が不要な使用者に対しても対応することができる。したがって、汎用性に優れた、設計自由度の高いプリンタとすることができる。
【０００８】
また、本発明のプリンタは、前記筐体は、箱状に形成され、前記開口部は、側方に設けられ、前記取付面は、前記複数の外面のうち前記開口部とは反対側の側面であることを特徴としている。
【０００９】
この構成によれば、表示部が取り付けられる取付面は、複数の外面のうちプリンタカバーが設けられる開口部とは反対側の側面であるので、表示部をプリンタカバーとは反対側に設けることができる。ここで、通常、プリンタの記録紙の排出口は開口部側に設けられることが多い。したがって、本発明によれば、プリンタの記録紙の排出口を第一の使用者（例えば店舗の店員）に向けるとともに、プリンタの表示部を第二の使用者（例えば店舗の顧客）に向けた状態でプリンタを使用することができるので、使い勝手の良い操作性に優れたプリンタとすることができる。
【００１０】
また、本発明のプリンタは、前記表示部は前記所定の情報を表示する表示領域を有し、前記表示領域の大きさは、前記取付面に対応した領域に設定されていることを特徴としている。
【００１１】
この構成によれば、表示領域の大きさは、取付面に対応した領域に設定されているので、表示部の表示領域において所定の情報を最大限大きくして表示することができる。したがって、本発明のプリンタによれば、所定の情報を使用者に対して容易に視認させることができる。
【００１２】
また、本発明のプリンタは、前記取付面の両縁部には、弾性変形可能な少なくとも一対の挟持部が設けられ、前記表示部は、前記一対の挟持部により挟持されて前記取付面に取り付けられていることを特徴としている。
【００１３】
この構成によれば、表示部は、一対の挟持部により挟持されて取付面に取り付けられているので、一対の挟持部を弾性変形させることで、取付面に表示部を容易に着脱することができる。したがって、本発明によれば、使い勝手の良い操作性に優れたプリンタとすることができる。
【００１４】
また、本発明のプリンタは、前記表示部は、締結部材により前記取付面に取り付けられていることを特徴としている。
【００１５】
この構成によれば、表示部は、締結部材により取付面に取り付けられているので、取付面に表示部を確実にかつ強固に取り付けることが可能になる。よって、本発明によれば、表示部が取付面から振動等により不意に外れてしまうのを防ぐことができる。また、表示部は、締結部材解除することにより、筐体の取付面から容易に取り外すことができる。したがって、本発明によれば、表示部の着脱作業を容易に行うことができる。
【００１６】
また、本発明のプリンタは、前記取付面の両側には、一対の溝が前記両側に沿って対向して設けられ、前記表示部は、前記表示部の両側が前記一対の溝に挿入されることにより前記取付面に取り付けられていることを特徴としている。
【００１７】
この構成によれば、表示部は、表示部の両側が一対の溝に挿入されることにより取付面に取り付けられているので、表示部を溝に沿ってスライドさせるだけで、取付面に表示部を容易に着脱できる。したがって、本発明によれば、表示部の着脱作業を容易に行うことができる。
【００１８】
また、本発明のプリンタは、前記コネクタ接続部は、前記取付面の下部に設けられていることを特徴としている。
【００１９】
この構成によれば、コネクタ接続部は、取付面の下部に設けられているので、ケーブルの他端に設けられたコネクタは、コネクタ接続部を介して取付面の下部に接続される。これにより、ケーブルは、例えば使用時や搬送時において他の物に引っ掛かるのが抑制されるので、ケーブルのコネクタがコネクタ接続部から不意に外れるのを防止できる。
【００２０】
また、本発明のプリンタは、前記取付面の下部には、前記取付面よりも内側に凹む凹部が形成されており、前記コネクタ接続部は、前記凹部内に設けられていることを特徴としている。
【００２１】
この構成によれば、コネクタ接続部は、取付面よりも内側に凹む凹部内に設けられているので、ケーブルの他端のコネクタは、凹部内でコネクタ接続部を介して接続される。これにより、ケーブルを凹部内に収容することができるとともに、コネクタが外部に露出するのが抑制されるので、ケーブルのコネクタがコネクタ接続部から不意に外れるのをさらに防止できる。
【発明の効果】
【００２２】
本発明のプリンタによれば、ケーブルを介して接続される表示部を有していても、従来技術と比較して省スペース化を図ることができる。
【図面の簡単な説明】
【００２３】
【図１】第一実施形態のサーマルプリンタを備えるＰＯＳのブロック図である。
【図２】第一実施形態のサーマルプリンタであって、プリンタカバーを閉じた状態の斜視図である。
【図３】第一実施形態のサーマルプリンタであって、プリンタカバーを開けた状態の斜視図である。
【図４】第一実施形態のサーマルプリンタを背面側から見た斜視図である。
【図５】第一実施形態のサーマルプリンタの分解斜視図である。
【図６】図５のＶＩ−ＶＩ線に沿うサーマルプリンタの断面図である。
【図７】第二実施形態のサーマルプリンタを背面側から見た斜視図である。
【図８】第二実施形態のサーマルプリンタの分解斜視図である。
【図９】第三実施形態のサーマルプリンタを背面側から見た斜視図である。
【図１０】第三実施形態のサーマルプリンタの分解斜視図である。
【発明を実施するための形態】
【００２４】
（第一実施形態）
以下、本発明の第一実施形態について図面を参照しながら説明する。
図１は、第一実施形態のサーマルプリンタを備えるＰＯＳ（Ｐｏｉｎｔ  ｏｆ  ｓａｌｅ  ｓｙｓｔｅｍ）のブロック図である。
ＰＯＳ１０１は、例えば小売店やレストラン等の店舗に設置されている。ＰＯＳ１０１は、顧客が購入した商品名や価格等の会計情報（所定の情報）を顧客に知らせるシステムである。
【００２５】
図１に示すようにＰＯＳ１０１は、情報処理装置１０２と、サーマルプリンタ１（請求項の「プリンタ」に相当。）とを備える。情報処理装置１０２は、商品の会計処理等を行う。情報処理装置１０２は、サーマルプリンタ１の動作を制御する。情報処理装置１０２の例としては、いわゆるデスクトップ型やタブレット型のパーソナルコンピュータ等が挙げられる。サーマルプリンタ１は、店頭に設置されている。
【００２６】
サーマルプリンタ１は、プリンタ本体１１と、表示部７とを備える。
プリンタ本体１１と情報処理装置１０２とは、例えばＵＳＢ（Ｕｎｉｖｅｒｓａｌ  Ｓｅｒｉａｌ  Ｂｕｓ）ケーブル等の第一ケーブル１０３で接続されている。なお、プリンタ本体１１と情報処理装置１０２とは、無線で接続されていてもよい。プリンタ本体１１は、情報処理装置１０２により動作が制御される。プリンタ本体１１は、情報処理装置１０２から送られた会計情報のデータを感熱紙等の記録紙Ｐ（図２参照）に印字して、印字した記録紙Ｐを排出する。
【００２７】
表示部７とプリンタ本体１１とは、例えばＵＳＢケーブル等の第二ケーブル１０４で接続されている。これにより、表示部７には、プリンタ本体１１から電力が供給される。表示部７は、プリンタ本体１１を介して情報処理装置１０２に接続されている。これにより表示部７は、情報処理装置１０２から送られた会計情報のデータを表示する。
【００２８】
図２は、第一実施形態のサーマルプリンタであって、プリンタカバーを閉じた状態の斜視図である。
図３は、第一実施形態のサーマルプリンタであって、プリンタカバーを開けた状態の斜視図である。
なお、図２以降の各図において、紙面の上側を上方（重力方向の上方）とし、下側を下方（重力方向の下方）とする。また、前後方向をＬ１とし、上下方向をＬ２とし、前後方向Ｌ１および上下方向Ｌ２に対して直交する方向を左右方向Ｌ３として示す。また、前方を矢印ＦＷとし、後方を矢印ＢＡとして示す。
【００２９】
図２に示すように、サーマルプリンタ１は、記録紙Ｐが前方（サーマルプリンタ１の前面２２側）に排出される、いわゆる前出しタイプのプリンタである。
サーマルプリンタ１は、第一の使用者である例えば店舗の店員側に前方を向け、第二の使用者である例えば店舗の顧客側に後方を向けた状態で使用される。なお、このサーマルプリンタ１の使用状態はあくまで一例であって、特に限定はされない。
【００３０】
プリンタ本体１１は、筐体２と、プリンタカバー３とを備える。
筐体２は、店頭の設置面１１０に設置されている。図３に示すように、筐体２は、前方に開口部２５を有する箱状に形成されている。
筐体２は、底面２１、前面２２、背面２３を含む複数の外面を有している。
底面２１は、大部分が設置面１１０から離れた状態で、設置面１１０と対向するように形成されている。前面２２は開口部２５に設けられたプリンタカバー３により形成されている。背面２３は、後述する表示部７（図４および図５参照）が着脱可能に取り付けられる取付面２３Ａとなっている。取付面２３Ａは、前面２２とは反対側に位置している。
【００３１】
図２に示すように、プリンタカバー３は、筐体２の開口部２５を開閉可能なように筐体２の下部に連結されている。プリンタカバー３の先端部と筐体２との間には、排出口１２（隙間）が形成されている。記録紙Ｐは、筐体２の内部から排出口１２を通って前方に排出される。
図３に示すように、筐体２の内部には、記録紙収納部１０が形成されている。記録紙収納部１０には、記録紙Ｐが左右方向Ｌ３に沿って軸線を有する筒状に巻回された状態で収納されている。
【００３２】
プリンタカバー３の裏面には、プラテンユニット４が設けられている。プラテンユニット４は、プリンタ本体１１を構成している。プラテンユニット４は、記録紙Ｐを排出口１２（図２参照）から前方に送り出すように構成されている。
【００３３】
筐体２の内部における記録紙収納部１０の上方には、ヘッドユニット５が設けられている。ヘッドユニット５は、プリンタ本体１１を構成している。ヘッドユニット５は、第一ケーブル１０３を介して情報処理装置１０２に電気的に接続されている。ヘッドユニット５は、情報処理装置１０２から送られてきた、例えば会計情報等のデータを記録紙Ｐに印字するように構成されている。
【００３４】
図４は、第一実施形態のサーマルプリンタを背面側から見た斜視図である。
図５は、第一実施形態のサーマルプリンタの分解斜視図である。
図４および図５に示すように、筐体２の取付面２３Ａには、表示部７が着脱可能に取り付けられている。表示部７は、表示部本体７１と、表示部取付部７２とを備える。
【００３５】
表示部本体７１は、板状に形成されている。表示部本体７１には、第二ケーブル１０４（図５参照）の一端が接続されている。第二ケーブル１０４の一端は、例えば不図示のコネクタ等を介して、表示部本体７１に着脱可能に接続されていてもよい。
表示部本体７１には、表示画面７３（請求項の「表示領域」に相当。）が設けられている。表示画面７３には、情報処理装置１０２から送られてきた例えば会計情報のデータが文字や画像等で表示される。表示画面７３の大きさ（表示領域の大きさ）は、取付面２３Ａに対応した領域に設定されている。
【００３６】
図５に示すように、表示部取付部７２は、板状に形成されている。表示部取付部７２は、筐体２の取付面２３Ａに取り付けられている。表示部取付部７２の上部は、表示部本体７１の上部に対して、例えばヒンジ等により形成された回動部７４を介して回動可能に取り付けられている。回動部７４を設けることにより、表示部本体７１の表示画面７３は、取付面２３Ａに対する角度変更が可能なように構成される。
【００３７】
筐体２の取付面２３Ａには、表示部配置部２６が凹んで形成されている。表示部配置部２６には、表示部取付部７２が配置される。表示部取付部７２の下部は、表示部配置部２６の下側の段部２９に当接して移動が規制されている。
【００３８】
表示部配置部２６の左右の縁部２７，２７には、一対の挟持部２８，２８が対向して設けられている。一対の挟持部２８，２８は、弾性変形可能に形成されている。表示部取付部７２の左右側は、一対の挟持部２８，２８に弾性力を利用して挟持されている。本実施形態においては、表示部取付部７２の左右側は、一対の挟持部２８，２８によってスナップフィットにより挟持されている。
【００３９】
挟持部２８の具体的な構成について説明する。挟持部２８は、基部２８１と、係止爪２８２とを備える。基部２８１は、縁部２７に結合されている。基部２８１は、縁部２７の延在方向である上下方向Ｌ２に延びるとともに、後方に突出している。
係止爪２８２は、基部２８１の先端に形成されている。係止爪２８２は、断面が三角形状に形成されている。係止爪２８２，２８２の内側には、表示部取付部７２が基部２８１の弾性力により係止されている。表示部７は、一対の挟持部２８，２８の基部２８１，２８１を弾性変形させることにより、取付面２３Ａに着脱可能となっている。
【００４０】
図６は、図５のＶＩ−ＶＩ線に沿うサーマルプリンタの断面図である。
図６に示すように、取付面２３Ａの下部には、凹部８２が形成されている。凹部８２は、取付面２３Ａよりも内側（筐体２の内部側）に凹んで形成されている。凹部８２は、側面断面視でＬ字状に形成されている。
凹部８２内には、コネクタ接続部８１が設けられている。コネクタ接続部８１は、凹部８２内において、前後方向Ｌ１に面する側面８３に設けられている。コネクタ接続部８１には、第二ケーブル１０４に取り付けられたコネクタ１０５が、前後方向Ｌ１に沿って挿抜することにより着脱可能に接続されている。なお、凹部８２内には、例えば第二ケーブル１０４を係止して収納可能な係止部が設けられていてもよい。
【００４１】
本実施形態によれば、表示部７は、筐体２における複数の外面のうち、底面２１以外の取付面２３Ａに着脱可能に取り付けられているので、従来技術のようなプリンタスタンドを使用することなく、表示部７を支持できる。これにより、プリンタスタンドの設置スペースが不要となるので、第二ケーブル１０４を介して接続される表示部７を有していても、従来技術と比較して省スペース化を図ることができる。
また、プリンタスタンドが不要となるので、第二ケーブル１０４を介して接続される表示部７を有するサーマルプリンタ１を低コストに設置することができる。
また、表示部７は、筐体２の取付面２３Ａに着脱可能となっているので、表示部７を必要とする使用者のみならず、表示部７が不要な使用者に対しても対応することができる。したがって、汎用性に優れた、設計自由度の高いサーマルプリンタ１とすることができる。
【００４２】
また、本実施形態によれば、表示部７が取り付けられる取付面２３Ａは、複数の外面のうちプリンタカバー３が設けられる開口部２５とは反対側の側面であるので、表示部７をプリンタカバー３とは反対側に設けることができる。ここで、通常、サーマルプリンタ１の記録紙Ｐの排出口１２は開口部２５側に設けられることが多い。したがって、本実施形態によれば、サーマルプリンタ１の記録紙Ｐの排出口１２を第一の使用者（例えば店舗の店員）に向けるとともに、サーマルプリンタ１の表示部７を第二の使用者（例えば店舗の顧客）に向けた状態でサーマルプリンタ１を使用することができるので、使い勝手の良い操作性に優れたサーマルプリンタ１とすることができる。
【００４３】
また、本実施形態によれば、表示画面７３の大きさは、取付面２３Ａに対応した領域に設定されているので、表示部７の表示画面７３において所定の情報を最大限大きくして表示することができる。したがって、本実施形態のサーマルプリンタ１によれば、所定の情報を使用者に対して容易に視認させることができる。
【００４４】
また、本実施形態によれば、表示部７は、一対の挟持部２８，２８により挟持されて取付面２３Ａに取り付けられているので、一対の挟持部２８，２８を弾性変形させることで、取付面２３Ａに表示部７を容易に着脱することができる。したがって、本実施形態によれば、使い勝手の良い操作性に優れたサーマルプリンタ１とすることができる。
【００４５】
また、本実施形態によれば、コネクタ接続部８１は、取付面２３Ａの下部に設けられているので、第二ケーブル１０４の他端に設けられたコネクタ１０５は、コネクタ接続部８１を介して取付面２３Ａの下部に接続される。これにより、第二ケーブル１０４は、例えば使用時や搬送時において他の物に引っ掛かるのが抑制されるので、第二ケーブル１０４のコネクタ１０５がコネクタ接続部８１から不意に外れるのを防止できる。
【００４６】
また、本実施形態によれば、コネクタ接続部８１は、取付面２３Ａよりも内側に凹む凹部８２内に設けられているので、第二ケーブル１０４の他端のコネクタ１０５は、凹部８２内でコネクタ接続部８１を介して接続される。これにより、第二ケーブル１０４を凹部８２内に収容することができるとともに、コネクタ１０５が外部に露出するのが抑制されるので、第二ケーブル１０４のコネクタ１０５がコネクタ接続部８１から不意に外れるのをさらに防止できる。
【００４７】
（第二実施形態）
続いて、本発明の第二実施形態のサーマルプリンタ２０１について説明する。
図７は、第二実施形態のサーマルプリンタを背面側から見た斜視図である。
図８は、第二実施形態のサーマルプリンタの分解斜視図である。なお、図８では、表示部７と筐体２とを接続する第二ケーブル１０４の図示を省略している。
第二実施形態のサーマルプリンタ２０１では、第一実施形態と異なる構成により、表示部７が筐体２の取付面２３Ａに着脱可能に取り付けられている。以下に説明する。なお、第一実施形態と同様の構成については、説明を省略する。
【００４８】
図７および図８に示すように、第二実施形態のサーマルプリンタ２０１の表示部７は、複数のネジ２０２（請求項の「締結部材」に相当。）により、筐体２の取付面２３Ａに着脱可能に取り付けられている。
筐体２の取付面２３Ａにおいて、表示部配置部２６には、複数の雌ネジ部２０３が設けられている。複数の雌ネジ部２０３は、表示部配置部２６の四隅に配置されている。
表示部７の表示部取付部７２には、複数の貫通孔２０４が設けられている。複数の貫通孔２０４は、表示部取付部７２において複数の雌ネジ部２０３と対応する位置であって、表示部取付部７２の四隅に配置されている。
複数のネジ２０２は、表示部取付部７２の貫通孔２０４に挿通されて、複数の雌ネジ部２０３に螺合される。これにより表示部７は、複数のネジ２０２により筐体２の取付面２３Ａに着脱可能に取り付けられる。
【００４９】
本実施形態によれば、表示部７は、複数のネジ２０２を雌ネジ部２０３に螺合させることにより取付面２３Ａに取り付けられているので、取付面２３Ａに表示部７を確実にかつ強固に取り付けることが可能になる。よって、本実施形態によれば、表示部７が取付面２３Ａから振動等により不意に外れてしまうのを防ぐことができる。また、表示部７は、ネジ２０２を雌ネジ部２０３から解除することにより、筐体２の取付面２３Ａから容易に取り外すことができる。したがって、本実施形態によれば、表示部７の着脱作業を容易に行うことができる。
【００５０】
（第三実施形態）
続いて、本発明の第三実施形態のサーマルプリンタ３０１について説明する。
図９は、第三実施形態のサーマルプリンタを背面側から見た斜視図である。
図１０は、第三実施形態のサーマルプリンタの分解斜視図である。なお、図１０では、表示部７と筐体２とを接続する第二ケーブル１０４の図示を省略している。
第三実施形態のサーマルプリンタ３０１では、第一実施形態および第二実施形態と異なる構成により表示部７が筐体２の取付面２３Ａに着脱可能に取り付けられている。以下に説明する。なお、第一実施形態および第二実施形態と同様の構成については、説明を省略する。
【００５１】
図９および図１０に示すように、筐体２の取付面２３Ａには、表示部配置部３０２が凹んで形成されている。表示部配置部３０２は、上記の第一実施形態および第二実施形態の表示部配置部２６（図５および図８参照）とは異なり、表示部配置部３０２の上側が開口して形成されている。これにより、表示部７の表示部取付部７２は、筐体２の表示部配置部３０２に対して上方からスライド挿入可能となっている。
表示部配置部３０２の左右の縁部２７，２７には、一対の保持部３０３，３０３が対向して設けられている。一対の保持部３０３，３０３は、縁部２７，２７に沿って延びて形成されている。保持部３０３は、断面が後方に短辺を有し、前方に長辺を有する台形状に形成されている。取付面２３Ａの表示部配置部３０２と一対の保持部３０３，３０３との間には、一対の溝３０４，３０４が形成されている。
【００５２】
一対の溝３０４，３０４は、表示部配置部３０２の左右両側の縁部に沿って対向して配置されている。表示部７の表示部取付部７２は、表示部取付部７２の左右両側が一対の溝３０４，３０４に挿入されて嵌め込まれている。これにより表示部７は、筐体２の取付面２３Ａに着脱可能に取り付けられている。表示部取付部７２の下部は、表示部配置部３０２の下側の段部２９に当接して係止されている。これにより表示部７は、一対の保持部３０３，３０３および段部２９により保持されて、筐体２の取付面２３Ａに着脱可能に取り付けられる。
【００５３】
本実施形態によれば、表示部７は、両側が一対の溝３０４，３０４に挿入されることにより取付面２３Ａに取り付けられているので、表示部７を溝３０４に沿ってスライドさせるだけで、取付面２３Ａに表示部７を容易に着脱できる。したがって、本発明によれば、表示部の着脱作業を容易に行うことができる。
【００５４】
なお、本発明の技術範囲は上述した実施形態に限定されるものではなく、本発明の趣旨を逸脱しない範囲において種々の変更を加えることが可能である。
【００５５】
上記の各実施形態では、表示部７は、表示部本体７１と表示部取付部７２とを備えていたが、表示部７を表示部本体７１のみで構成し、表示部本体７１を取付面２３Ａに直接取り付けてもよい。
また、上記の各実施形態では、表示部７に表示する所定の情報として会計情報を例に挙げたが、その他に店舗の情報や特売情報等を表示してもよい。またサーマルプリンタ１，２０１，３０１の使用場所に応じて必要な情報を表示してもよい。
【００５６】
上記の各実施形態では、表示部７が取り付けられる取付面２３Ａは、開口部を有する前面２２とは反対側の背面２３に設けられていたが、取付面２３Ａの位置は上述の各実施形態に限定されない。したがって、例えば、取付面２３Ａは、前面２２と隣り合う左右側面のいずれかに設けてもよいし、底面２１とは反対側の上面に設けてもよい。
【００５７】
上記の各実施形態では、記録紙Ｐが前方に排出される前出しタイプのサーマルプリンタ１，２０１，３０１に本発明を適用した例を説明したが、その他に例えば記録紙Ｐが上方に排出される上出しタイプのサーマルプリンタに本発明を適用してもよい。
また、上記の各実施形態では、プリンタの一例としてサーマルプリンタ１，２０１，３０１に本発明を適用した例を説明したが、その他に例えばインク滴を利用して記録紙に印刷するインクジェットプリンタ等、サーマルプリンタ１，２０１，３０１以外のプリンタに本発明を適用してもよい。
【００５８】
上記の第一実施形態では、表示部配置部２６の左右の縁部２７，２７に一対の挟持部２８，２８が対向して設けられ、表示部取付部７２が挟持されていた。これに対して、挟持部２８，２８の対数は一対に限定されることはなく、挟持部２８，２８を複数対設け、複数対の挟持部２８，２８で表示部取付部７２が挟持されていてもよい。
【００５９】
上記の第三実施形態のサーマルプリンタ３０１では、取付面２３Ａの左右側に一対の溝３０４，３０４を設けることにより、表示部７の表示部取付部７２が筐体２の表示部配置部３０２に対して上方からスライド挿入可能となっていた。これに対して、取付面２３Ａの上下側に一対の溝３０４，３０４を設けることにより、表示部７の表示部取付部７２が筐体２の表示部配置部３０２に対して左右のいずれかの方向からスライド挿入可能となっていてもよい。
【００６０】
その他、本発明の趣旨を逸脱しない範囲で、上記した実施の形態における構成要素を周知の構成要素に置き換えることは適宜可能であり、また、上述した各実施形態および各変形例を適宜組み合わせてもよい。
【符号の説明】
【００６１】
１  サーマルプリンタ（プリンタ）
２  筐体
３  プリンタカバー
７  表示部
１０  記録紙収納部
２１  底面
２３Ａ  取付面
２５  開口部
２７  縁部
２８  挟持部
７３  表示画面（表示領域）
８１  コネクタ接続部
８２  凹部
１０４  第二ケーブル（ケーブル）
１０５  コネクタ
１１０  設置面
２０２  ネジ（締結部材）
３０４  溝
【図１】
2019098714.tif 000003
【図２】
2019098714.tif 000004
【図３】
2019098714.tif 000005
【図４】
2019098714.tif 000006
【図５】
2019098714.tif 000007
【図６】
2019098714.tif 000008
【図７】
2019098714.tif 000009
【図８】
2019098714.tif 000010
【図９】
2019098714.tif 000011
【図１０】
2019098714.tif 000012